(57)【要約】【課題】作業者の負担を軽減できる濾過台を提供する。【解決手段】濾過状況検知装置１００を備えた濾過台３００。濾過状況検知装置１００は、白血球除去フィルタ２３０における血液の濾過が終了したか否かを検知する機能を有する赤外線センサ１２１と、赤外線センサ１２１によって濾過が終了したと検知された場合に、白血球除去フィルタ２３０における濾過が終了したことを作業者に報知する報知手段１３０と、赤外線センサ１２１によって検知された当該濾過終了に関する検知情報に基づいて、報知手段１３０を制御する制御部１４０とを備える。【選択図】図１
2011045398.tif 000002
【特許請求の範囲】
【請求項１】
血液を貯留する貯留部（２１０）、前記貯留部（２１０）から送られた血液を濾過する機能を有するフィルタ部（２３０）及び前記フィルタ部（２３０）で濾過された血液を回収する回収部（２５０）を備える血液濾過セット（２００）に用いる濾過状況検知装置であって、
前記フィルタ部（２３０）における前記血液の濾過が終了したか否かを検知する機能を有する検知部（１２１）と、
前記検知部（１２１）によって濾過が終了したと検知された場合に、前記フィルタ部（２３０）における濾過が終了したことを作業者に報知する報知手段（１３０）と、
前記検知部（１２１）によって検知された当該濾過終了に関する検知情報に基づいて、前記報知手段を制御する制御部（１４０）とを備えることを特徴とする濾過状況検知装置（１００）。
【請求項２】
請求項１に記載の濾過状況検知装置において、
前記報知手段（１３０）は、音響発生手段であることを特徴とする濾過状況検知装置（１００）。
【請求項３】
請求項１に記載の濾過状況検知装置において、
前記報知手段（１３０）は、照明手段であることを特徴とする濾過状況検知装置（１００）。
【請求項４】
請求項１に記載の濾過状況検知装置において、
前記報知手段（１３０）は、前記フィルタ部（２３０）における前記血液の濾過が終了したことを画像で表示する画像表示手段であることを特徴とする濾過状況検知装置（１００）。
【請求項５】
請求項１に記載の濾過状況検知装置において、
前記報知手段（１３０）は、前記フィルタ部（２３０）における濾過が終了したことを作業者に報知する機能を有した外部端末に向けて、前記検知情報を送信する手段を備えることを特徴とする濾過状況検知装置（１００）。
【請求項６】
請求項１〜５のいずれか一項に記載の濾過状況検知装置において、
前記フィルタ部（２３０）と前記回収部（２５０）との間の流路（２４０）を閉塞する流路閉塞手段（１６０）と、
前記流路（２４０）を閉塞するように前記流路閉塞手段（１６０）を操作する操作部（１７０）とをさらに備え、
前記制御部（１４０）は、前記操作部（１７０）による前記操作に基づいて、前記流路閉塞手段（１６０）の流路閉塞動作を制御する機能をさらに有することを特徴とする濾過状況検知装置（１００）。
【請求項７】
血液を貯留する貯留部（２１０）、前記貯留部（２１０）から送られた血液を濾過する機能を有するフィルタ部（２３０）及び前記フィルタ部（２３０）で濾過された血液を回収する回収部（２５０）を備える血液濾過セット（２００）に用いる濾過状況検知装置であって、
前記フィルタ部（２３０）における前記血液の濾過が終了したか否かを検知する機能を有する検知部（１２１）と、
前記検知部（１２１）によって前記フィルタ部（２３０）における濾過が終了したと検知された場合に、前記フィルタ部（２３０）と前記回収部（２５０）との間の流路（２４０）を閉塞する流路閉塞手段（１６０）と、
前記検知部（１２１）によって検知された当該濾過終了に関する検知情報に基づいて、前記流路閉塞手段（１６０）の流路閉塞動作を制御する制御部（５４０）とを備えることを特徴とする濾過状況検知装置（５００）。
【請求項８】
請求項１〜７のいずれか一項に記載の濾過状況検知装置において、
前記検知部（１２１）は、発光素子（１２１ａ）及び受光素子（１２１ｂ）を有する赤外線センサであることを特徴とする濾過状況検知装置（１００，５００）。
【請求項９】
請求項１〜７のいずれか一項に記載の濾過状況検知装置において、
前記検知部（１２１）は、所定波長域に感度を有するカラーセンサであることを特徴とする濾過状況検知装置（１００，５００）。
【請求項１０】
請求項１〜９のいずれか一項に記載の濾過状況検知装置において、
前記検知部（１２１）は、前記フィルタ部（２３０）における前記血液の濾過が開始されたことを検知する機能をさらに有し、
前記検知部（１２１）によって検知された当該濾過開始に関する検知情報及び前記濾過終了に関する検知情報に基づき、前記フィルタ部（２３０）における前記血液の濾過に要した時間を計測する濾過時間計測部（１８０）をさらに備えることを特徴とする濾過状況検知装置（１００，５００）。
【請求項１１】
請求項１〜１０のいずれか一項に記載の濾過状況検知装置において、
前記濾過状況検知装置（１００，５００）に対して前記フィルタ部（２３０）をセットしたときに、前記フィルタ部（２３０）の位置を固定するガイド部（１９０）をさらに備えることを特徴とする濾過状況検知装置（１００，５００）。
【請求項１２】
血液を貯留する貯留部（２１０）、前記貯留部（２１０）から送られた血液を濾過する機能を有するフィルタ部（２３０）及び前記フィルタ部（２３０）で濾過された血液を回収する回収部（２５０）を備える血液濾過セット（２００）を取り付け可能に構成された濾過台であって、
前記濾過台に前記血液濾過セット（２００）を取り付けたときに、地面からの高さ位置が前記フィルタ部（２３０）に比べて前記貯留部（２１０）の方が高くなるように、所定高さ位置で前記貯留部（２１０）を保持可能に構成された保持部（３１０）と、
前記保持部（３１０）を支持する支柱（３２１，３２２）と、
前記支柱（３２１，３２２）の所定位置に配設され、前記フィルタ部（２３０）における前記血液の濾過状況を検知する濾過状況検知装置とを備え、
前記濾過状況検知装置は、請求項１〜１１のいずれか一項に記載の濾過状況検知装置（１００，５００）であることを特徴とする濾過台（３００）。
【発明の詳細な説明】
【技術分野】
【０００１】
本発明は濾過状況検知装置及び濾過台に関する。
【背景技術】
【０００２】
従来、血液を貯留する貯留部と、貯留部から送られた血液を濾過する機能を有するフィルタ部（例えば白血球除去フィルタ）と、フィルタ部で濾過された血液を回収する回収部とを備えた血液濾過セットが知られている（例えば、特許文献１）。従来の血液濾過セットにおいては、貯留部をフィルタ部よりも高い位置に設置し、重力により血液をフィルタ部に通し、白血球を除去（濾過）している。
従来の血液濾過セットにおいては、血液濾過セットを用いて血液の濾過作業をする者（以下、「作業者」という。）は、フィルタ部内の残留血液を目視で確認し、濾過が終了したことを認識している。そして、血液の濾過が終了した後、フィルタ部と回収部とをつなぐチューブをチューブシーラーなどの流路閉塞手段によって閉塞している。
【先行技術文献】
【特許文献】
【０００３】
【特許文献１】特開平１−３２００６４号公報
【発明の概要】
【発明が解決しようとする課題】
【０００４】
ところで、各献血者によって血液成分が異なるため、血液濾過セットごとにフィルタ部における血液の濾過に要する時間が異なることがある。このため、作業者は、フィルタ部における血液の濾過が終了したか否かを目視で逐一確認しなければならず、作業負担が大きかった。
【０００５】
そこで、本発明はこのような事情に鑑みてなされたもので、作業者の負担を軽減できる濾過状況検知装置及び濾過台を提供することを目的とする。
【課題を解決するための手段】
【０００６】
［１］本発明の濾過状況検知装置（１００）は、
血液を貯留する貯留部（２１０）、前記貯留部（２１０）から送られた血液を濾過する機能を有するフィルタ部（２３０）及び前記フィルタ部（２３０）で濾過された血液を回収する回収部（２５０）を備える血液濾過セット（２００）に用いる濾過状況検知装置であって、
前記フィルタ部（２３０）における前記血液の濾過が終了したか否かを検知する機能を有する検知部（１２１）と、
前記検知部（１２１）によって濾過が終了したと検知された場合に、前記フィルタ部（２３０）における濾過が終了したことを作業者に報知する報知手段（１３０）と、
前記検知部（１２１）によって検知された当該濾過終了に関する検知情報に基づいて、前記報知手段を制御する制御部（１４０）とを備えることを特徴としている。
【０００７】
このため本発明の濾過状況検知装置によれば、濾過が終了したことを検知部が検知すると報知手段が作業者に報知してくれるため、作業者は、フィルタ部における血液の濾過が終了したか否かを目視で逐一確認することなく、血液濾過セットの濾過終了を認識することができる。その結果、濾過終了の確認に要する作業負担を軽減することができる。
したがって、本発明の濾過状況検知装置は、作業者の負担を軽減できる濾過状況検知装置となる。
【０００８】
［２］上記［１］に記載の濾過状況検知装置（１００）においては、前記報知手段（１３０）は、音響発生手段であることが好ましい。
【０００９】
このように構成することにより、作業者は音で濾過が終了したことを認識することができる。
【００１０】
［３］上記［１］に記載の濾過状況検知装置（１００）においては、前記報知手段（１３０）は、照明手段であることが好ましい。
【００１１】
このように構成することにより、作業者は光の状態（例えば、点灯・点滅・消灯・発光色の変化）で濾過が終了したことを認識することができる。
【００１２】
［４］上記［１］に記載の濾過状況検知装置（１００）においては、
前記報知手段（１３０）は、前記フィルタ部（２３０）における前記血液の濾過が終了したことを画像で表示する画像表示手段であることが好ましい。
【００１３】
このように構成することにより、作業者は画像（例えば、モニタ画面・電光掲示板など）で濾過が終了したことを認識することができる。
【００１４】
［５］上記［１］に記載の濾過状況検知装置（１００）においては、
前記報知手段（１３０）は、前記フィルタ部（２３０）における濾過が終了したことを作業者に報知する機能を有した外部端末に向けて、前記検知情報を送信する手段を備えることが好ましい。
【００１５】
このように構成することにより、作業者は報知する機能を有した外部端末（例えば携帯端末）で濾過終了を認識することができる。
【００１６】
［６］上記［１］〜［５］のいずれか一つに記載の濾過状況検知装置（１００）においては、
前記フィルタ部（２３０）と前記回収部（２５０）との間の流路（２４０）を閉塞する流路閉塞手段（１６０）と、
前記流路（２４０）を閉塞するように前記流路閉塞手段（１６０）を操作する操作部（１７０）とをさらに備え、
前記制御部（１４０）は、前記操作部（１７０）による前記操作に基づいて、前記流路閉塞手段（１６０）の流路閉塞動作を制御する機能をさらに有することが好ましい。
【００１７】
ところで、従来の血液濾過セットにおいて、血液濾過セットの近くにチューブシーラーが置いていない場合は、作業者は携帯用チューブシーラーを持ち運んでチューブを閉塞しなければならないが、濾過が終了するたびに携帯用チューブシーラーを持ち運ぶことは、作業者にとって負担の大きい作業である。
本発明の濾過状況検知装置によれば、上記した流路閉塞手段を備えているため、報知手段によって濾過が終了したことを認識した作業者は、操作部を操作することによりフィルタ部と回収部との間の流路を閉塞することができる。つまり、濾過が終了するたびに携帯用チューブシーラーをわざわざ持ち運ぶ必要がないため、作業者の負担をさらに軽減することが可能になる。
【００１８】
［７］本発明の濾過状況検知装置（５００）は、
血液を貯留する貯留部（２１０）、前記貯留部（２１０）から送られた血液を濾過する機能を有するフィルタ部（２３０）及び前記フィルタ部（２３０）で濾過された血液を回収する回収部（２５０）を備える血液濾過セット（２００）に用いる濾過状況検知装置であって、
前記フィルタ部（２３０）における前記血液の濾過が終了したか否かを検知する機能を有する検知部（１２１）と、
前記検知部（１２１）によって前記フィルタ部（２３０）における濾過が終了したと検知された場合に、前記フィルタ部（２３０）と前記回収部（２５０）との間の流路（２４０）を閉塞する流路閉塞手段（１６０）と、
前記検知部（１２１）によって検知された当該濾過終了に関する検知情報に基づいて、前記流路閉塞手段（１６０）の流路閉塞動作を制御する制御部（５４０）とを備えることを特徴としている。
【００１９】
このため本発明の濾過状況検知装置によれば、濾過が終了したことを検知部が検知すると流路閉塞手段が自動的に流路を閉塞してくれるため、作業者は、フィルタ部における血液の濾過が終了したか否かを目視で逐一確認する必要がない。その結果、濾過終了の確認に要する作業負担をなくすことができる。
また、本発明の濾過状況検知装置によれば、上記した流路閉塞手段を備えているため、上記［６］に記載の理由と同様、濾過が終了するたびに携帯用チューブシーラーをわざわざ持ち運ぶ必要がない。その結果、携帯用チューブシーラーを持ち運ぶ作業負担をなくすことができる。
さらにまた、本発明の濾過状況検知装置によれば、濾過が終了すると流路閉塞手段が自動的に流路を閉塞してくれるため、作業者自らが流路を閉塞する手間を省くことができる。その結果、濾過が終了した後に流路を閉塞する作業負担をなくすことができる。
したがって、本発明の濾過状況検知装置は、作業者の負担を軽減できる濾過状況検知装置となる。
【００２０】
［８］上記［１］〜［７］のいずれか一つに記載の濾過状況検知装置（１００，５００）においては、前記検知部（１２１）は、発光素子（１２１ａ）及び受光素子（１２１ｂ）を有する赤外線センサであることが好ましい。
【００２１】
赤外線センサは比較的安価なため、このように構成することにより、濾過状況検知装置を比較的安価に供給することができる。
【００２２】
［９］上記［１］〜［７］のいずれか一つに記載の濾過状況検知装置においては、前記検知部（１２１）は、所定波長域に感度を有するカラーセンサであることが好ましい。
【００２３】
例えば、血液と同じ色調の波長域（例えば６４０ｎｍ）に感度を有するカラーセンサを用いることにより、外部光による誤検知を少なくすることができる。
【００２４】
［１０］上記［１］〜［９］のいずれか一つに記載の濾過状況検知装置（１００，５００）においては、
前記検知部（１２１）は、前記フィルタ部（２３０）における前記血液の濾過が開始されたことを検知する機能をさらに有し、
前記検知部（１２１）によって検知された当該濾過開始に関する検知情報及び前記濾過終了に関する検知情報に基づき、前記フィルタ部（２３０）における前記血液の濾過に要した時間を計測する濾過時間計測部（１８０）をさらに備えることが好ましい。
【００２５】
このように構成することにより、血液の濾過に要した時間を計測することができるため、フィルタ部を用いたときに濾過に要する標準的な時間（標準濾過時間）と、実際に濾過を行ったときに要した時間との対比が可能になる。その結果、仮にフィルタ部に不良があったり貯留部の血液に異常があったりしたとしても、標準濾過時間との対比からフィルタ部の不良又は血液の異常の判定が可能になる。
【００２６】
［１１］上記［１］〜［１０］のいずれか一つに記載の濾過状況検知装置（１００，５００）においては、
前記濾過状況検知装置（１００，５００）に対して前記フィルタ部（２３０）をセットしたときに、前記フィルタ部（２３０）の位置を固定するガイド部（１９０）をさらに備えることが好ましい。
【００２７】
このように構成することにより、フィルタ部の位置を固定することができるので、検知部による検知を正確に行うことができる。
【００２８】
［１２］本発明の濾過台（３００）は、
血液を貯留する貯留部（２１０）、前記貯留部（２１０）から送られた血液を濾過する機能を有するフィルタ部（２３０）及び前記フィルタ部（２３０）で濾過された血液を回収する回収部（２５０）を備える血液濾過セット（２００）を取り付け可能に構成された濾過台であって、
前記濾過台（３００）に前記血液濾過セット（２００）を取り付けたときに、地面からの高さ位置が前記フィルタ部（２３０）に比べて前記貯留部（２１０）の方が高くなるように、所定高さ位置で前記貯留部（２１０）を保持可能に構成された保持部（３１０）と、
前記保持部（３１０）を支持する支柱（３２１，３２２）と、
前記支柱（３２１，３２２）の所定位置に配設され、前記フィルタ部（２３０）における前記血液の濾過状況を検知する濾過状況検知装置とを備え、
前記濾過状況検知装置は、上記［１］〜［１１］のいずれか一つに記載の濾過状況検知装置（１００，５００）であることを特徴としている。
【００２９】
このため本発明の濾過台によれば、上記の優れた濾過状況検知装置を備えているため、作業者の負担を軽減できる濾過台となる。
【００３０】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００３１】
【図１】実施形態１に係る濾過台３００に血液濾過セット２００を取り付けたときの斜視図。
【図２】濾過台３００に取り付けられた貯留部２１０周辺部分を拡大して示す図。
【図３】白血球除去フィルタ２３０を説明するための図。
【図４】血液濾過セット２００を取り付けたときの濾過状況検知装置１００の全体斜視図。
【図５】濾過状況検知装置１００を説明するための図。
【図６】濾過状況検知装置１００の制御方法を表すブロック図。
【図７】実施形態２に係る濾過状況検知装置５００を説明するための図。
【図８】濾過状況検知装置５００を説明するためのブロック図。
【図９】一変形例におけるフィルタホルダ６９３aを説明するための図。
【発明を実施するための形態】
【００３２】
以下、本発明の濾過状況検知装置及び濾過台並びに濾過台に取り付けられる血液濾過セットについて、図に示す実施の形態に基づいて説明する。
【００３３】
［実施形態１］
［血液濾過セット２００］
まず、血液濾過セット２００の構成について、図１〜図３を用いて説明する。
【００３４】
図１は実施形態１に係る濾過台３００に、血液濾過セット２００を取り付けたときの斜視図である。図２は濾過台３００に取り付けられた貯留部２１０周辺部分を拡大して示す図である。図３は白血球除去フィルタ２３０を説明するための図である。図３（ａ）は白血球除去フィルタ２３０の正面図であり、図３（ｂ）は図３（ａ）におけるＡ−Ａ線断面図である。
【００３５】
なお、この明細書において「上流側」及び「上方」とは、後述する血液濾過セット２００の貯留部２１０側のことであり、「下流側」及び「下方」とは、後述する血液濾過セット２００の回収部２５０側のことである。すなわち、濾過における血液の流れより、上下を定義している。
また、後述する濾過台３００及び濾過状況検知装置１００においても、設置した血液濾過セット２００に対応して上流側（上方）・下流側（下方）を定義する。すなわち、図１において保持部３１０側を上方、受け台３３０側を下方とする。
【００３６】
血液濾過セット２００は、図１に示すように、血液を貯留する貯留部２１０と、フィルタ部としての白血球除去フィルタ２３０と、白血球除去フィルタ２３０で濾過された血液を回収する回収部２５０とを備えている。
【００３７】
貯留部２１０は、例えば可とう性のプラスチックバッグで形成されている。貯留部２１０の一端部には、吊下げ用の穴（図示せず。）が設けられ、後述する濾過台３００の吊下げ部３１１（図２参照。）に吊下げ可能に形成されている。また貯留部２１０における上記吊下げ用の穴とは反対の端部には、上流側チューブ２２０が接続されており、貯留部２１０内部の血液が上流側チューブ２２０を通して白血球除去フィルタ２３０に流入可能に形成されている。
【００３８】
白血球除去フィルタ２３０は、貯留部２１０から送られた血液を濾過する機能（貯留部２１０から送られた血液から白血球を除去する機能）を有している。
図３に示すように、白血球除去フィルタ２３０は、血液流入口２３３及び血液流出口２３５を有する偏平な略直方体形状のフィルタ容器２３１と、フィルタ容器２３１に収納されたシート状の白血球除去材２３２とを備えている。血液流入口２３３は上流側チューブ２２０と、血液流出口２３５は下流側チューブ２４０とそれぞれ接続しており、濾過された血液（白血球が除去された血液）が下流側チューブ２４０を通して回収部２５０に流入可能に形成されている。
フィルタ容器２３１の内部は、図３（ｂ）に示すように、白血球除去材２３２によって２つの偏平な空間、すなわち血液流入口２３３と連通している空間（以下、一次空間２３４。）及び血液流出口２３５と連通している空間（以下、二次空間２３６。）に分けられている。
【００３９】
白血球除去フィルタ２３０を濾過状況検知装置１００にセットする際、作業者は白血球除去フィルタ２３０における二次空間２３６側の面を濾過状況検知装置１００に向けて、白血球除去フィルタ２３０をセットする。
【００４０】
回収部２５０は、例えば可とう性のプラスチックバッグで形成されている。回収部２５０の一端部には下流側チューブ２４０が接続されている（図１参照。）。
【００４１】
［濾過台３００］
次に、実施形態１に係る濾過台３００の構成について、図１及び図２を用いて説明する。
【００４２】
実施形態１に係る濾過台３００は、図１及び図２に示すように、血液濾過セット２００を取り付け可能に構成された濾過台であって、上方の位置で貯留部２１０を保持可能に構成された保持部３１０と、保持部３１０を支持する２本の支柱３２１，３２２と、下方の位置で回収部２５０を載置する受け台３３０と、保持部３１０と受け台３３０との間に配設された濾過状況検知装置１００とを備えている。
【００４３】
保持部３１０は、図２に示すように、吊下げ部３１１と保持板３１２とを有している。保持部３１０は、血液濾過セット２００を取り付けたときに、地面からの高さ位置が白血球除去フィルタ２３０に比べて貯留部２１０の方が高くなるように、上方で貯留部２１０を保持する機能を有する。
保持板３１２は、２本の支柱３２１，３２２の間に固定されるように設置されている。
吊下げ部３１１は、保持板３１２から突出しており、貯留部２１０に設けられた吊下げ用の穴を引っ掛けて貯留部２１０を吊り下げ可能に形成されている。吊下げ部３１１の先端は上方に折れ曲がっており、吊り下げた貯留部２１０が容易に落下しないように形成されている。
【００４４】
支柱３２１，３２２は、例えば円柱形状である。後述する濾過状況検知装置１００の固定部１１１，１１２における円筒部分の内径と比較して、支柱径はほぼ同じか若干小さく形成されており、濾過状況検知装置１００が係止可能になっている。
【００４５】
［濾過状況検知装置１００］
次に、実施形態１に係る濾過状況検知装置１００について、図４〜図６を用いて説明する。
【００４６】
図４は血液濾過セット２００を取り付けたときの濾過状況検知装置１００の全体斜視図である。
図５は濾過状況検知装置１００を説明するための図である。図５（ａ）は血液濾過セット２００を取り外したときの濾過状況検知装置１００の全体斜視図であり、図５（ｂ）はフィルタホルダ１９３ａの平面図であり、図５（ｃ）は図５（ｂ）におけるＢ−Ｂ線断面図である。
図６は濾過状況検知装置１００の制御方法を表すブロック図である。
【００４７】
実施形態１に係る濾過状況検知装置１００は、上記した血液濾過セット２００に用いる濾過状況検知装置であって、図４、図５（ａ）及び図６に示すように、略直方体のハウジング１１０と、検知部としての赤外線センサ１２１と、報知手段１３０と、ハウジング１１０内部に配設された制御部１４０と、下流側チューブ２４０の一部を閉塞するための流路閉塞手段１６０と、ハウジング１１０の上流側に設けられた操作部１７０と、ハウジング１１０内部に配設された濾過時間計測部１８０と、ハウジング１１０内部に配設された記憶部１８５と、濾過状況検知装置１００に対して白血球除去フィルタ２３０をセットしたときに、白血球除去フィルタ２３０の位置を固定するガイド部１９０とを備えている。
【００４８】
ハウジング１１０は、剛性材料で形成されている。剛性材料としては、例えば、金属、ポリカーボネートなどの硬質プラスチックなどを好適に用いることができる。流路閉塞手段１６０が例えば高周波チューブシーラーである場合には、ハウジング１１０の材料として金属を用いる方が好ましい。
【００４９】
ハウジング１１０の両側面には固定部１１１，１１２が設けられている。固定部１１１，１１２におけるハウジング１１０とは逆の端部は、それぞれ円筒状に形成されており、当該端部において濾過台３００の支柱３２１，３２２を挿通可能に形成されている。固定部１１１，１１２には、図示しないストッパーが設けられており、支柱３２１，３２２の所定の高さ位置で濾過状況検知装置１００を固定可能に構成されている。これにより、濾過状況検知装置１００の高さ位置を調整することができる。
【００５０】
赤外線センサ１２１は、白血球除去フィルタ２３０における血液の濾過が開始されたことを検知する機能（濾過開始検知機能）と、白血球除去フィルタ２３０における血液の濾過が終了したか否かを検知する機能（濾過終了検知機能）とを少なくとも有する。
赤外線センサ１２１は、発光素子１２１ａ及び受光素子１２１ｂを有する。発光素子１２１ａ及び受光素子１２１ｂは、後述するフィルタホルダ１９３ａ，１９３ｂに設けられており、作業者が白血球除去フィルタ２３０を取り付けた際、発光素子１２１ａ及び受光素子１２１ｂとの間に、白血球除去フィルタ２３０の一次空間２３４が位置するよう構成されている。このため、発光素子１２１ａから発せられた赤外線は、白血球除去フィルタ２３０の一次空間２３４を通り、受光素子１２１ｂで受光されることとなる。このとき、一次空間２３４内の血液の有無により、受光素子１２１ｂにおける赤外線受光量が異なるため、赤外線センサ１２１はこの赤外線受光量の差を利用して濾過開始及び濾過終了を検知する。
【００５１】
報知手段１３０は、赤外線センサ１２１によって濾過が終了したと検知された場合に、白血球除去フィルタ２３０における濾過が終了したことを作業者に報知する機能を有している。報知手段１３０は、音響発生手段としてのスピーカー１３１と、照明手段としての濾過中ランプ１３２、濾過終了ランプ１３３及び濾過異常ランプ１３４とを備えている。
【００５２】
スピーカー１３１は、ハウジング１１０の側面に設けられている。赤外線センサ１２１が濾過終了を検知すると、スピーカー１３１から警報音または音声が流れ、作業者に濾過が終了したことを報知されるように構成されている。
なお、音響発生手段としては、例えばブザーやチャイムなどを用いても良い。
【００５３】
濾過中ランプ１３２、濾過終了ランプ１３３及び濾過異常ランプ１３４は、ハウジング１１０の上流側にそれぞれ設けられている。
濾過中ランプ１３２は、赤外線センサ１２１が濾過開始を検知してから濾過終了を検知するまで点灯するよう、制御部１４０によって制御されている。
濾過終了ランプ１３３は、赤外線センサ１２１が濾過終了を検知したときに点灯するよう、制御部１４０によって制御されている。
濾過異常ランプ１３４は、白血球除去フィルタ２３０における濾過が異常であると判断された場合に点灯するよう、制御部１４０によって制御されている。
【００５４】
制御部１４０は、マイクロコンピュータ等からなり、図６に示すように、赤外線センサ１２１によって検知された濾過終了に関する検知情報に基づいて報知手段１３０（スピーカー１３１並びに濾過中ランプ１３２、濾過終了ランプ１３３及び濾過異常ランプ１３４）を制御する機能（報知手段制御機能）と、操作部１７０による操作に基づいて流路閉塞手段１６０の流路閉塞動作を制御する機能（流路閉塞手段制御機能）とを少なくとも有している。
【００５５】
流路閉塞手段１６０は、高周波でチューブを閉塞（シール）する機能を有する高周波チューブシーラーであって、図４に示すように、ハウジング１１０の下流側に設けられたシール部１６１ａ，１６１ｂを備えている。シール部１６１ａ，１６１ｂのうち一方のシール部（例えばシール部１６１ａ）は陽極側（発振側）の電極部であり、他方のシール部（例えばシール部１６１ｂ）は陰極側（受け側）の電極部であって、シール部１６１ａ，１６１ｂは、後述するチューブ溝１９２を間にして対向して設置されている。
作業者が後述するシールスイッチ１７３を操作することで、シール部１６１ａ，１６１ｂが下流側チューブ２４０を挟み、下流側チューブ２４０の一部を閉塞するように構成されている。
【００５６】
操作部１７０は、下流側チューブ２４０を閉塞するように流路閉塞手段１６０を操作するためのシールスイッチ１７３と、濾過状況検知装置１００の主電源のオン・オフを切り替えるための電源スイッチ１７１とを備えている。作業者は、シールスイッチ１７３を押下することで、下流側チューブ２４０の一部を閉塞することができる。
【００５７】
濾過時間計測部１８０は、赤外線センサ１２１によって検知された濾過開始に関する検知情報及び濾過終了に関する検知情報に基づき、白血球除去フィルタ２３０における濾過時間を計測する機能（濾過時間計測機能）を有する。具体的に説明すると、濾過時間計測部１８０は、赤外線センサ１２１が濾過開始を検知してから濾過終了を検知するまでの経過時間（濾過時間）を計測する機能を有する。濾過時間計測部１８０によって計測された白血球除去フィルタ２３０の濾過時間は、実濾過時間データとして制御部１４０に向けて送信されることとなる。
【００５８】
記憶部１８５は、白血球除去フィルタにおける血液の濾過に要する標準的な時間（標準濾過時間）に関するデータ（標準濾過時間データ）を記憶する機能を少なくとも有する。
【００５９】
ガイド部１９０は、図５に示すように、直線状に設けられたチューブ溝１９２と、平面視略台形状のフィルタホルダ１９３ａ，１９３ｂと、ハウジング１１０の上流側に設けられたチューブホルダ１９４と、チューブ溝１９２の脇に設けられたチューブ押さえ１９１とを備えている。
【００６０】
チューブ溝１９２は、下流側チューブ２４０を嵌め込み可能な深さで形成されているため、下流側チューブ２４０をハウジング１１０に対して位置固定できるようになっている。
またチューブ溝１９２は、白血球除去フィルタ２３０の血液流出口２３５も嵌め込み可能に形成されているため、白血球除去フィルタ２３０を濾過状況検知装置１００にセットしたときに、白血球除去フィルタ２３０における二次空間２３６側の面が必ずハウジング１１０の面に向かってセットできるようになっている。
【００６１】
２つのフィルタホルダ１９３ａ，１９３ｂは、チューブ溝１９２に対して線対称になるよう設けられている。血液濾過セット２００を濾過状況検知装置１００に取り付けたときに、各フィルタホルダ１９３ａ，１９３ｂと白血球除去フィルタ２３０とが接触する側面Ｓ１（フィルタホルダ１９３ａについてのみ図５（ｂ）に図示。）は、図５（ｃ）に示すように、ハウジング１１０の面（設置面）に対して、９０度よりも深い角度（９０度よりも小さな角度）で傾いている。各フィルタホルダ１９３ａ，１９３ｂの側面Ｓ１とハウジング１１０とがなす角度θは、例えば４５度である。各フィルタホルダ１９３ａ，１９３ｂの側面Ｓ１がハウジング１１０の面（設置面）に対して上記のように傾いていることにより、血液濾過セット２００を濾過状況検知装置１００及び濾過台３００に取り付けたときに、白血球除去フィルタ２３０が手前側（ハウジング１１０とは反対側）に倒れてくるのを抑制することができる。
【００６２】
チューブホルダ１９４は、「凹」字の形状を有しており、中央の窪みに上流側チューブ２２０を嵌め込み可能に構成されている。
【００６３】
チューブ押さえ１９１は、平面視平板形状の部材であり、チューブ溝１９２の溝方向に直交する方向に沿ってスライド可能に形成されている。
血液濾過セット２００を濾過状況検知装置１００に取り付ける際には、作業者は、チューブ押さえ１９１がチューブ溝１９２から外れた位置にある状態で、下流側チューブ２４０をチューブ溝１９２に嵌め込んだ後、フィルタホルダ１９３ｂ側からフィルタホルダ１９３ａ側に向けてチューブ押さえ１９１をスライドさせ、下流側チューブ２４０をチューブ押さえ１９１で押さえる。また、血液濾過セット２００を濾過状況検知装置１００から取り外す際には、作業者は、チューブ押さえ１９１を先ほどとは反対方向に（フィルタホルダ１９３ａ側からフィルタホルダ１９３ｂ側に向けて）スライドさせ、下流側チューブ２４０をチューブ溝１９２から取り外す。
【００６４】
次に、濾過開始時及び濾過終了時における濾過状況検知装置１００の制御について、図６のブロック図を用いて説明する。
【００６５】
１．濾過開始時
白血球除去フィルタ２３０における血液の濾過が開始されたことを赤外線センサ１２１が検知すると、赤外線センサ１２１から制御部１４０に向けて、濾過開始に関する検知情報（以下、濾過開始情報という。）が送られる。濾過開始情報を受けた制御部１４０は、報知手段１３０の濾過中ランプ１３２を点灯するよう制御するとともに、濾過開始情報を濾過時間計測部１８０に送る。濾過開始情報を受けた濾過時間計測部１８０は、濾過時間の計測を始める。
【００６６】
２．濾過終了時
白血球除去フィルタ２３０における血液の濾過が終了したことを赤外線センサ１２１が検知すると、赤外線センサ１２１から制御部１４０に向けて、濾過終了に関する検知情報（以下、濾過終了情報という。）が送られる。濾過終了情報を受けた制御部１４０は、報知手段１３０の濾過中ランプ１３２を消灯するよう制御するとともに、濾過終了ランプ１３３を点灯するよう制御する。また、制御部１４０は、報知手段１３０のスピーカー１３１から警報音または音声が流れるようスピーカー１３１を制御する。これにより、作業者に対して白血球除去フィルタ２３０における血液の濾過が終了したことが報知される。
【００６７】
また、濾過終了情報を受けた制御部１４０は、濾過終了情報を濾過時間計測部１８０に送る。濾過終了情報を受けた濾過時間計測部１８０は、濾過開始情報を受けてから濾過終了情報を受けるまでの経過時間を実際の濾過時間として算出し、当該濾過時間に関するデータを実濾過時間データとして制御部１４０に送信する。
実濾過時間データを受信した制御部１４０は、記憶部１８５に記憶されている標準濾過時間データを読み出して、実濾過時間データと標準濾過時間データとを比較し、白血球除去フィルタ２３０における血液の濾過に異常が認められるか否かを判定する。
このとき、実際の濾過時間が標準的な濾過時間よりも明らかに短かった場合又は明らかに長かった場合は、制御部１４０は「濾過異常（濾過に異常が認められる）」と判定する。「濾過異常」と判定した場合、制御部１４０は、濾過異常ランプ１３４を点灯するよう制御する。
一方、実際の濾過時間が標準的な濾過時間と同程度であった場合は、制御部１４０は「濾過正常（濾過に異常が認められない）」と判定する。「濾過正常」と判定した場合、制御部１４０は、濾過異常ランプ１３４の点灯制御は行わない。
【００６８】
なお、報知手段１３０によって濾過が終了したことを認識した作業者は、操作部１７０のシールスイッチ１７３を押下する。シールスイッチ１７３が押下されると、制御部１４０は流路閉塞手段１６０（シール部１６１ａ、１６１ｂ）を作動させて、血液濾過セット２００の下流側チューブ２４０の一部を閉塞させる。
【００６９】
以上のように構成された実施形態1に係る濾過状況検知装置１００によれば、濾過が終了したことを赤外線センサ１２１が検知すると報知手段１３０が作業者に報知してくれるため、作業者は、白血球除去フィルタ２３０における血液の濾過が終了したか否かを目視で逐一確認することなく、血液濾過セット２００の濾過終了を認識することができる。その結果、濾過終了の確認に要する作業負担を軽減することができる。
したがって、濾過状況検知装置１００は、作業者の負担を軽減できる濾過状況検知装置となる。
【００７０】
実施形態１に係る濾過状況検知装置１００においては、報知手段１３０は音響発生手段としてのスピーカー１３１を備えるため、作業者は音で濾過が終了したことを認識することができる。
【００７１】
実施形態１に係る濾過状況検知装置１００においては、報知手段１３０は照明手段としての濾過中ランプ１３２、濾過終了ランプ１３３及び濾過異常ランプ１３４を備えるため、作業者は光の状態（例えば、点灯・点滅・消灯・発光色の変化）で濾過が終了したことを認識することができる。
【００７２】
実施形態１に係る濾過状況検知装置１００においては、上記した流路閉塞手段１６０及び操作部１７０を備えているため、報知手段１３０によって濾過が終了したことを認識した作業者は、操作部１７０を操作することにより下流側チューブ２４０の一部を閉塞することができる。つまり、濾過が終了するたびに携帯用チューブシーラーをわざわざ持ち運ぶ必要がないため、作業者の負担をさらに軽減することが可能になる。
【００７３】
実施形態１に係る濾過状況検知装置１００においては、検知部が、発光素子１２１ａ及び受光素子１２１ｂを有する赤外線センサ１２１であるため、濾過状況検知装置１００を比較的安価に供給することができる。
【００７４】
実施形態１に係る濾過状況検知装置１００においては、赤外線センサ１２１が、白血球除去フィルタ２３０における血液の濾過が開始されたことを検知する機能を有するとともに、上記した濾過時間計測部１８０を備えるため、血液の濾過に要した時間を計測することができる。このため、白血球除去フィルタ２３０を用いたときに濾過に要する標準的な時間（標準濾過時間）と、実際に濾過を行ったときに要した時間との対比が可能になる。その結果、仮に白血球除去フィルタ２３０に不良があったり貯留部２１０の血液に異常があったりしたとしても、標準濾過時間との対比から白血球除去フィルタ２３０の不良又は血液の異常の判定が可能になる。
【００７５】
実施形態１に係る濾過状況検知装置１００においては、濾過状況検知装置１００に対して白血球除去フィルタ２３０をセットしたときに、白血球除去フィルタ２３０の位置を固定するガイド部１９０をさらに備えるため、白血球除去フィルタ２３０の位置を固定することができる。その結果、濾過状況検知装置１００の赤外線センサ１２１による検知を正確に行うことができる。
【００７６】
実施形態１に係る濾過台３００によれば、上記の優れた濾過状況検知装置１００を備えているため、作業者の負担を軽減できる濾過台となる。
【００７７】
ところで、流路閉塞手段が設けられていない濾過状況検知装置を備える濾過台を複数配置する場合、各濾過台に取り付けた血液濾過セット２００の下流側チューブ２４０を閉塞するためには、携帯用チューブシーラーを持ち運ぶか、または複数配置した濾過台のそばに据置き型チューブシーラー（例えば、実公昭５４−４３１０１号公報に記載されたチューブシーラー）を１台程度設置する必要がある。携帯用チューブシーラーを持ち運ぶ場合は、携帯用チューブシーラーを持ち歩かなければならず、据置き型チューブシーラーを設置する場合は、据置き型チューブシーラーの設置位置を考慮して複数の濾過台を配置しなければならない。
これに対し、実施形態１に係る濾過台３００によれば、１台の濾過台に対して流路閉塞手段が必ず１つ備えられていることから、濾過台を複数配置する場合であっても、携帯用チューブシーラーを持ち歩く必要がないし、複数の濾過台の配置自由度を比較的向上することが可能となる。
【００７８】
［実施形態２］
次に、実施形態２に係る濾過状況検知装置５００について、図７及び図８を用いて説明する。
【００７９】
図７は、実施形態２に係る濾過状況検知装置５００を説明するための図、図８は濾過状況検知装置５００を説明するためのブロック図である。
なお、図７及び図８において、図４及び図６と同一の部材については同一の符号を付し、詳細な説明は省略する。
【００８０】
実施形態２に係る濾過状況検知装置５００は、上記した血液濾過セット２００に用いる濾過状況検知装置であって、図７及び図８に示すように、略直方体のハウジング１１０と、検知部としての赤外線センサ１２１と、報知手段１３０と、ハウジング１１０内部に配設された制御部５４０と、下流側チューブ２４０の一部を閉塞するための流路閉塞手段１６０と、ハウジング１１０の上流側に設けられた操作部５７０と、ハウジング１１０内部に配設された濾過時間計測部１８０と、ハウジング１１０内部に配設された記憶部１８５と、濾過状況検知装置５００に対して白血球除去フィルタ２３０をセットしたときに、白血球除去フィルタ２３０の位置を固定するガイド部１９０とを備えている。
【００８１】
実施形態２に係る濾過状況検知装置５００は、基本的には実施形態１に係る濾過状況検知装置１００と良く似た構成を有するが、制御部の機能及び操作部の構成並びに濾過終了時の濾過状況検知装置の制御方法が、実施形態１に係る濾過状況検知装置１００とは異なる。
【００８２】
制御部５４０は、図８に示すように、赤外線センサ１２１によって検知された濾過終了に関する検知情報に基づいて報知手段１３０（スピーカー１３１並びに濾過中ランプ１３２、濾過終了ランプ１３３及び濾過異常ランプ１３４）を制御する機能（報知手段制御機能）と、赤外線センサ１２１によって検知された濾過終了に関する検知情報に基づいて、流路閉塞手段１６０の流路閉塞動作を制御する機能（流路閉塞手段制御機能Ａ）と、操作部５７０による操作に基づいて流路閉塞手段１６０の流路閉塞動作を制御する機能（流路閉塞手段制御機能Ｂ）と、後述する切替スイッチ５７２による切替え操作によって流路閉塞手段制御機能Ａが働く「自動モード」又は流路閉塞手段制御機能Ｂが働く「手動モード」のいずれかにモード選択するモード選択機能とを少なくとも有している。
なお、制御部５４０の報知手段制御機能及び流路閉塞手段制御機能Ｂは、実施形態１で説明した制御部１４０が備える報知手段制御機能及び流路閉塞手段制御機能と同様の機能であるため、詳細な説明は省略する。
【００８３】
操作部５７０は、下流側チューブ２４０を閉塞するように流路閉塞手段１６０を操作するためのシールスイッチ１７３と、濾過状況検知装置１００の主電源のオン・オフを切り替えるための電源スイッチ１７１と、切替スイッチ５７２とを備えている。
切替スイッチ５７２は、赤外線センサ１２１によって濾過終了が検知されたときに流路閉塞手段１６０によって自動的に下流側チューブ２４０を閉塞させるための「自動モード」と、作業者によってシールスイッチ１７３が押下されたときに流路閉塞手段１６０によって下流側チューブ２４０を閉塞させるための「手動モード」とを切り替えるためのスイッチである。
【００８４】
次に、濾過終了時における濾過状況検知装置５００の制御について、図８のブロック図を用いて説明する。なお、以下の説明においては、「自動モード」が選択されている場合と「手動モード」が選択されている場合とで分けて説明する。
【００８５】
１．「自動モード」が選択されている場合
濾過が進み、白血球除去フィルタ２３０における血液の濾過が終了したことを赤外線センサ１２１が検知すると、赤外線センサ１２１から制御部５４０に向けて、濾過終了情報が送られる。濾過終了情報を受けた制御部５４０は、流路閉塞手段１６０（シール部１６１ａ，１６１ｂ）を作動させて、血液濾過セット２００の下流側チューブ２４０の一部を閉塞させるよう制御する。
また、濾過終了情報を検知した制御部５４０は、報知手段１３０の濾過中ランプ１３２を消灯するよう制御するとともに、濾過終了ランプ１３３を点灯するよう制御する。また、制御部５４０は、報知手段１３０のスピーカー１３１から警報音または音声が流れるようスピーカー１３１を制御する。これにより、作業者に対して血液濾過セット２００における下流側チューブ２４０が閉塞されたこと（すなわち、白血球除去フィルタ２３０における血液の濾過が終了したこと）が報知される。
【００８６】
２．「手動モード」が選択されている場合
濾過が進み、白血球除去フィルタ２３０における血液の濾過が終了したことを赤外線センサ１２１が検知すると、赤外線センサ１２１から制御部５４０に向けて、濾過終了情報が送られる。濾過終了情報を受けた制御部５４０は、報知手段１３０の濾過中ランプ１３２を消灯するよう制御するとともに、濾過終了ランプ１３３を点灯するよう制御する。また、制御部５４０は、報知手段１３０のスピーカー１３１から警報音または音声が流れるようスピーカー１３１を制御する。これにより、作業者に対して白血球除去フィルタ２３０における血液の濾過が終了したことが報知される。
報知手段１３０によって濾過が終了したことを認識した作業者は、操作部５７０のシールスイッチ１７３を押下する。シールスイッチ１７３が押下されると、制御部５４０は流路閉塞手段１６０（シール部１６１ａ、１６１ｂ）を作動させて、血液濾過セット２００の下流側チューブ２４０の一部を閉塞させる。
【００８７】
なお、上述の「自動モード」が選択されている場合と「手動モード」が選択されている場合のいずれにおいても、濾過終了時における濾過時間計測部１８０に関連する制御については実施形態１で説明したものと同様であるため、詳細な説明は省略する。
【００８８】
このように、実施形態２に係る濾過状況検知装置５００は、実施形態１に係る濾過状況検知装置１００とは、制御部の機能及び操作部の構成並びに濾過終了時の濾過状況検知装置の制御方法が異なるが、上記したように、濾過が終了したことを赤外線センサ１２１が検知すると流路閉塞手段１６０が自動的に下流側チューブ２４０を閉塞してくれるため、作業者は、白血球除去フィルタ２３０における血液の濾過が終了したか否かを目視で逐一確認する必要がない。その結果、濾過終了の確認に要する作業負担をなくすことができる。
また、実施形態２に係る濾過状況検知装置５００によれば、上記した流路閉塞手段１６０を備えているため、濾過が終了するたびに携帯用チューブシーラーをわざわざ持ち運ぶ必要がない。その結果、携帯用チューブシーラーを持ち運ぶ作業負担をなくすことができる。
さらにまた、実施形態２に係る濾過状況検知装置５００によれば、濾過が終了すると流路閉塞手段１６０が自動的に流路を閉塞してくれるため、作業者自らが流路を閉塞する手間を省くことができる。その結果、濾過が終了した後に下流側チューブ２４０を閉塞する作業負担をなくすことができる。
したがって、実施形態２に係る濾過状況検知装置５００は、実施形態１に係る濾過状況検知装置１００と同様に、作業者の負担を軽減できる濾過状況検知装置となる。
【００８９】
実施形態２に係る濾過状況検知装置５００は、制御部の機能及び操作部の構成並びに濾過終了時の濾過状況検知装置の制御方法が異なる点以外では、実施形態１に係る濾過状況検知装置１００と同様の構成を有するため、実施形態１に係る濾過状況検知装置１００が有する効果のうち該当する効果をそのまま有する。
【００９０】
以上、本発明の濾過状況検知装置及び濾過台を上記の各実施形態に基づいて説明したが、本発明は上記の各実施形態に限定されるものではなく、その要旨を逸脱しない範囲において種々の態様において実施することが可能であり、例えば次のような変形も可能である。
【００９１】
（１）上記実施形態１においては、吊下げ部３１１を有する保持部３１０を例示して説明したが、本発明はこれに限定されるものではない。貯留部２１０を保持可能に構成されていれば、保持部３１０はどのような形状であっても良い。
例えば、保持板を傾斜させて保持板上に貯留部２１０を載置可能に形成した保持部であっても良いし、保持板にカゴ状部材を設けて貯留部２１０を保持可能に形成した保持部であっても良い。
【００９２】
（２）上記各実施形態においては、検知部が赤外線センサ１２１である場合を例示して説明したが、本発明はこれに限定されるものではない。白血球除去フィルタ２３０における濾過開始及び濾過終了を検知できる機能を持つものであれば、検知部は何であっても良い。
例えば、検知部は、所定波長域に感度を有するカラーセンサ、画像解析機能を有するＣＣＤカメラ、フィルタ内残血の重量を量る重量測定装置、超音波センサ、磁気センサが挙げられる。特にカラーセンサの場合、血液と同じ色調の波長域（例えば６４０ｎｍ）に感度を有するカラーセンサを用いることにより、外部光による誤検知を少なくすることができる。
【００９３】
（３）上記各実施形態においては、濾過開始検知機能及び濾過終了検知機能を少なくとも有する検知部としての赤外線センサ１２１を備える場合を例示して説明したが、本発明はこれに限定されるものではない。赤外線センサ１２１が設けられていることに加えて、濾過状況検知装置に白血球除去フィルタ２３０がセットされているか否かを検知する機能（フィルタ部取付け確認機能）を有する他の検知部がさらに設けられていてもよい。この場合、濾過状況検知装置に白血球除去フィルタ２３０がセットされているか否かを他の検知部によって検知することができる。他の検知部としては、例えば赤外線センサや重量センサなどの種々のセンサを好ましく用いることができる。なお、他の検知部がさらに設けられているのではなく、検知部として、濾過開始検知機能と濾過終了検知機能と白血球フィルタ取付け確認機能とを有する検知部が設けられているのでもよい。
【００９４】
（４）上記各実施形態においては、報知手段１３０が音響発生手段と照明手段を共に備える場合を例示して説明したが、本発明はこれに限定されるものではない。
報知手段１３０が、音響発生手段または照明手段のいずれか一方のみであっても良い。
【００９５】
（５）上記各実施形態においては、報知手段１３０が、音響発生手段及び照明手段である場合を例示して説明したが、本発明はこれに限定されるものではない。
作業者に濾過終了を認識させる機能を持つものであれば、報知手段は何であっても良い。例えば、報知手段は、電光掲示板やテレビモニタなどの画像表示手段が挙げられる。画面表示手段は、赤外線センサ１２１が濾過開始を検知してから濾過終了を検知するまでの経過時間（濾過時間）を表示することも可能なため、作業者に濾過の終了を報知するばかりでなく、濾過時間を報知させることも可能になる。
また報知手段は、白血球除去フィルタ２３０における濾過が終了したことを作業者に報知する機能を有する外部端末に向けて、濾過終了に関する検知情報を送信する手段を備えるものであっても良い。外部端末としては、例えば、携帯電話などの携帯端末、受信機能を有するパーソナルコンピュータなどが挙げられる。特に振動機能を持つ携帯端末の場合、濾過終了に関する検知情報を振動機能で作業者に伝えることができるため、聴覚や視覚以外にも触覚で作業者に濾過終了を報知させることが可能になる。
【００９６】
（６）上記各実施形態においては、流路閉塞手段１６０が高周波チューブシーラーである場合を例示して説明したが、本発明はこれに限定されるものではない。流路を閉塞する機能を有するのであれば、例えば超音波や加熱（インパルス）によるチューブシーラーであっても良い。
【００９７】
（７）上記各実施形態においては、流路閉塞手段１６０を操作するための操作部１７０，５７０（シールスイッチ１７３）がハウジング１１０に設けられている場合を例示して説明したが、本発明はこれに限定されるものではなく、ハウジング（濾過状況検知装置）から位置的に離れている所に、操作部が設けられていても良い。例えば、受け台３３０の近傍にフットペダルを設置して、作業者が足でフットペダルを操作することにより、流路閉塞手段１６０を操作するように構成してもよい。
【００９８】
（８）上記各実施形態においては、チューブ押さえ１９１がスライド可能に形成されている場合を例示して説明したが、本発明はこれに限定されるものではない。下流側チューブ２４０を位置固定できる機能を有するものであれば、例えば回動式のチューブ押さえであっても良い。
また、作業者がチューブ押さえから手を離している間、常に下流側チューブを位置固定できるように、チューブ押さえが構成されていても良い。この場合、例えばチューブ押さえに付勢力を加えるバネ部材や電動によるロック機能を有する部材を好ましく用いることができる。
【００９９】
（９）上記各実施形態においては、フィルタホルダ１９３ａと白血球除去フィルタ２３０とが接触する側面Ｓ１は、ハウジング１１０の面（設置面）に対して、９０度よりも深い角度（９０度よりも小さな角度）で傾いている場合を例示して説明したが、本発明はこれに限定されるものではない。血液濾過セット２００を濾過状況検知装置及び濾過台に取り付けたときに、白血球除去フィルタ２３０が手前側（ハウジングとは反対側）に倒れてくるのを抑制することができれば、どのような形状であっても良い。例えば図９（ａ）及び図９（ｂ）に示すような、設置面Ｓ２にリブＲ２が設けられたフィルタホルダ６９３ａが挙げられる。
なお、図９（ａ）はフィルタホルダ６９３ａの平面図であり、図９（ｂ）は図９（ａ）におけるＣ−Ｃ線断面図である。
【０１００】
（１０）上記各実施形態においては、検知部である赤外線センサ１２１で得られた濾過開始情報及び濾過終了情報が、制御部１４０，５４０を介して濾過時間計測部１８０に伝達されている場合を例示しているが、本発明はこれに限定されるものではない。濾過開始情報及び濾過終了情報が、制御部１４０，５４０を介さずに、直接検知部から濾過時間計測部１８０に伝達されるよう構成されていても良い。
【０１０１】
（１１）上記実施形態１においては、制御部１４０が報知手段制御機能と流路閉塞手段制御機能とを少なくとも有する場合を例示して説明したが、本発明はこれに限定されるものではない。これら機能に加えて、赤外線センサによって濾過開始が検知されてからの所定時間（例えば濾過開始が検知されてから濾過終了が検知されるまでの時間）は、作業者によってシールスイッチが押下されたとしても、流路閉塞手段１６０（シール部１６１ａ，１６１ｂ）を作動させないように制御する機能（誤操作防止機能）を有していてもよい。この場合、作業者が濾過中に誤ってシールスイッチを押下したとしても、下流側チューブが閉塞されてしまうのを防止することができる。
【０１０２】
（１２）上記各実施形態においては、濾過時間計測部１８０が制御部１４０，５４０（赤外線センサ１２１）から濾過終了情報を受けることで、実濾過時間データが作成され、その実濾過時間データ及び標準濾過時間データをもとに、制御部１４０，５４０において白血球除去フィルタ２３０における血液の濾過に異常が認められるか否かが判定されるように構成されている場合を例示して説明したが、本発明はこれに限定されるものではない。例えば、濾過時間計測部が濾過開始情報を受けてから濾過終了情報を受ける前の段階において、濾過時間計測部から制御部に向けて、濾過時間計測部が濾過開始情報を受けてからの経過時間に関するデータ（濾過経過時間データ）を定期的又は不定期に送り、その濾過経過時間データ及び標準濾過時間データをもとに、制御部において白血球除去フィルタ２３０における血液の濾過に異常が認められるか否かが判定されるように構成されていてもよい。この場合、例えば白血球除去フィルタ２３０において血液が詰まってしまい濾過が終了しなくなるなど、濾過時間計測部に対して濾過終了情報が送られない場合であっても、制御部は「濾過異常」であることを判定することができ、濾過異常ランプを点灯制御することが可能となる。
【０１０３】
（１３）上記実施形態１においては、制御部１４０が報知手段制御機能と流路閉塞手段制御機能とを少なくとも有する場合を例示して説明したが、本発明はこれに限定されるものではない。これら機能に加えて、赤外線センサによって濾過開始が検知されてからの所定時間は、赤外線センサ１２１が濾過終了を検知したとしても、上記した報知手段の制御（濾過中ランプの消灯制御、濾過終了ランプの点灯制御及びスピーカーの制御）を行わない機能（誤報防止機能）を有していてもよい。この場合、作業者が白血球除去フィルタ２３０や赤外線センサ１２１に触れたりすることで、実際には濾過が終了していないにもかかわらず赤外線センサ１２１が濾過終了であると検知（誤検知）したとしても、作業者には濾過が終了したと報知されなくなるため、誤報を防止することができる。
【符号の説明】
【０１０４】
１００，５００    濾過状況検知装置
１１０    ハウジング
１１１，１１２    固定部
１２１    赤外線センサ
１２１ａ    発光素子
１２１ｂ    受光素子
１３０    報知手段
１３１    スピーカー
１３２    濾過中ランプ
１３３    濾過終了ランプ
１３４    濾過異常ランプ
１４０，５４０    制御部
１６０    流路閉塞手段
１６１ａ，１６１ｂ    シール部
１７０，５７０    操作部
１７１    電源スイッチ
１７３    シールスイッチ
１８０    濾過時間計測部
１８５    記憶部
１９０    ガイド部
１９１    チューブ押さえ
１９２    チューブ溝
１９３ａ，１９３ｂ，６９３ａ    フィルタホルダ
１９４    チューブホルダ
２００    血液濾過セット
２１０    貯留部
２２０    上流側チューブ
２３０    白血球除去フィルタ
２３１    フィルタ容器
２３２    白血球除去材
２３３    血液流入口
２３４    一次空間
２３５    血液流出口
２３６    二次空間
２４０    下流側チューブ
２５０    回収部
３００    濾過台
３１０    保持部
３１１    吊下げ部
３１２    保持板
３２１，３２２    支柱
３３０    受け台
５７２    切替スイッチ
Ｒ２    リブ
Ｓ１，Ｓ２    フィルタホルダの側面（白血球除去フィルタと接触する側面）
θ    フィルタホルダの側面Ｓ１とハウジングとがなす角度
【図１】
2011045398.tif 000003
【図２】
2011045398.tif 000004
【図３】
2011045398.tif 000005
【図４】
2011045398.tif 000006
【図５】
2011045398.tif 000007
【図６】
2011045398.tif 000008
【図７】
2011045398.tif 000009
【図８】
2011045398.tif 000010
【図９】
2011045398.tif 000011